(57)【要約】【課題】長時間露光の撮影において、露光時間に加えてノイズ量をも考慮した撮影を行うことが可能な技術を提供する。【解決手段】撮像装置１は、予め設定された設定露光時間に応じて、撮像素子への露光を複数回に分けて行う撮影動作を実行させる撮影制御部１１２と、撮影動作における各露光で取得される画像信号を順次に加算する信号加算部３１と、設定露光時間に基づいて、信号加算部３１で生成された加算画像信号の増幅率を算出する増幅率算出部１１３と、増幅率を用いて加算画像信号を増幅させ、設定露光時間に対する不足分の露光を補う信号増幅部３２と、信号増幅部３２で生成された増幅画像信号に関する情報を、モニタ１２に表示させる表示制御部１１５とを備え、撮影制御部１１２は、ユーザによる終了指示操作を検出した場合に、撮影動作を終了させ、増幅画像信号を設定露光時間の撮影で取得された撮影画像とする。【選択図】図４
2010081022.tif 000002
【特許請求の範囲】
【請求項１】
被写体像に関する画像信号を生成する撮像素子と、
予め設定された設定露光時間に応じて、前記撮像素子への露光を複数回に分けて行う撮影動作を実行させる撮影制御手段と、
前記撮影動作における各露光で取得される画像信号を順次に加算する加算手段と、
前記設定露光時間に基づいて、前記加算手段によって加算された画像信号の増幅率を算出する増幅率算出手段と、
前記増幅率を用いて前記加算手段によって加算された画像信号を増幅させ、前記設定露光時間に対する不足分の露光を補う増幅手段と、
前記増幅手段によって増幅された画像信号に関する情報を、表示部に表示させる表示制御手段と、
を備え、
前記撮影制御手段は、ユーザによる終了指示操作を検出した場合に、前記撮影動作を終了させ、前記増幅手段によって増幅された画像信号を前記設定露光時間の撮影で取得された撮影画像とする撮像装置。
【請求項２】
前記増幅率は、前記各露光による現在の積算露光時間に対する前記設定露光時間の割合で表される請求項１に記載の撮像装置。
【請求項３】
前記表示制御手段は、前記増幅手段によって増幅された画像信号に基づく画像の一部を拡大して表示させる請求項２に記載の撮像装置。
【請求項４】
前記増幅手段によって増幅された画像信号に含まれるノイズ量を算出するノイズ量算出手段、
をさらに備え、
前記表示制御手段は、前記ノイズ量に関する情報を前記表示部に表示させる請求項３に記載の撮像装置。
【請求項５】
前記撮影動作の実行中に、前記設定露光時間を変更する変更手段、
をさらに備え、
前記撮影制御手段は、前記変更手段によって変更された設定露光時間に応じて、前記撮影動作を実行させる請求項１に記載の撮像装置。
【請求項６】
記憶手段、
をさらに備え、
前記撮影制御手段は、ユーザによる終了指示操作を検出した場合に、前記増幅手段によって増幅された画像信号を前記記憶手段に記憶させる請求項１に記載の撮像装置。
【請求項７】
被写体像に関する画像信号を生成する撮像素子と、
予め設定された設定露光時間に応じて、前記撮像素子への露光を複数回に分けて行う撮影動作を実行させる撮影制御手段と、
前記設定露光時間に基づいて、前記加算手段によって加算された画像信号の増幅率を算出する増幅率算出手段と、
前記増幅率を用いて前記加算手段によって加算された画像信号を増幅させ、前記設定露光時間に対する不足分の露光を補う増幅手段と、
前記増幅手段によって増幅された画像信号に含まれるノイズ量を算出するノイズ量算出手段と、
を備え、
前記撮影制御手段は、前記ノイズ量に応じて前記撮影動作を終了させ、前記増幅手段によって増幅された画像信号を前記設定露光時間の撮影で取得された撮影画像とする撮像装置。
【請求項８】
前記撮影制御手段は、前記ノイズ量が予め設定された基準ノイズ量よりも少ない場合は、前記撮影動作を終了させ、前記増幅手段によって増幅された画像信号を前記撮影画像とする請求項７に記載の撮像装置。
【請求項９】
前記撮像素子は、露光によって被写体光が照射されない所定画素を有し、
前記ノイズ量算出手段は、前記所定画素の出力信号を用いて前記ノイズ量を算出する請求項７に記載の撮像装置。
【請求項１０】
ａ）予め設定された設定露光時間に応じて、撮像素子への露光を複数回に分けて行う撮影動作を実行させる工程と、
ｂ）前記撮影動作における各露光で取得される画像信号を順次に加算する工程と、
ｃ）前記設定露光時間に基づいて、前記ｂ）工程で加算された画像信号の増幅率を算出する工程と、
ｄ）前記増幅率を用いて前記ｂ）工程で加算された画像信号を増幅させ、前記設定露光時間に対する不足分の露光を補う工程と、
ｅ）前記ｄ）工程で増幅された画像信号に関する情報を、表示部に表示させる工程と、
を備え、
前記ａ）工程は、ユーザによる終了指示操作を検出した場合に、前記撮影動作を終了させ、前記ｄ）工程で増幅された画像信号を前記設定露光時間の撮影で取得された撮影画像とする撮像装置の制御方法。
【請求項１１】
撮像装置に内蔵されたコンピュータに、
ａ）予め設定された設定露光時間に応じて、撮像素子への露光を複数回に分けて行う撮影動作を実行させる工程と、
ｂ）前記撮影動作における各露光で取得される画像信号を順次に加算する工程と、
ｃ）前記設定露光時間に基づいて、前記ｂ）工程で加算された画像信号の増幅率を算出する工程と、
ｄ）前記増幅率を用いて前記ｂ）工程で加算された画像信号を増幅させ、前記設定露光時間に対する不足分の露光を補う工程と、
ｅ）前記ｄ）工程で増幅された画像信号に関する情報を、表示部に表示させる工程と、
を実行させ、
前記ａ）工程は、ユーザによる終了指示操作を検出した場合に、前記撮影動作を終了させ、前記ｄ）工程で増幅された画像信号を前記設定露光時間の撮影で取得された撮影画像とするプログラム。
【請求項１２】
ａ）予め設定された設定露光時間に応じて、撮像素子への露光を複数回に分けて行う撮影動作を実行させる工程と、
ｂ）前記撮影動作における各露光で取得される画像信号を順次に加算する工程と、
ｃ）前記設定露光時間に基づいて、前記ｂ）工程で加算された画像信号の増幅率を算出する工程と、
ｄ）前記増幅率を用いて前記ｂ）工程で加算された画像信号を増幅させ、前記設定露光時間に対する不足分の露光を補う工程と、
ｅ）前記ｄ）工程で増幅された画像信号に含まれるノイズ量を算出する工程と、
を備え、
前記ａ）工程は、前記ノイズ量に応じて前記撮影動作を終了させ、前記ｄ）工程で増幅された画像信号を前記設定露光時間の撮影で取得された撮影画像とする撮像装置の制御方法。
【請求項１３】
撮像装置に内蔵されたコンピュータに、
ａ）予め設定された設定露光時間に応じて、撮像素子への露光を複数回に分けて行う撮影動作を実行させる工程と、
ｂ）前記撮影動作における各露光で取得される画像信号を順次に加算する工程と、
ｃ）前記設定露光時間に基づいて、前記ｂ）工程で加算された画像信号の増幅率を算出する工程と、
ｄ）前記増幅率を用いて前記ｂ）工程で加算された画像信号を増幅させ、前記設定露光時間に対する不足分の露光を補う工程と、
ｅ）前記ｄ）工程で増幅された画像信号に含まれるノイズ量を算出する工程と、
を実行させ、
前記ａ）工程は、前記ノイズ量に応じて前記撮影動作を終了させ、前記ｄ）工程で増幅された画像信号を前記設定露光時間の撮影で取得された撮影画像とするプログラム。
【発明の詳細な説明】
【技術分野】
【０００１】
本発明は、撮影制御技術に関する。
【背景技術】
【０００２】
撮像素子を備えるデジタルカメラでは、一般に撮像素子の感度（以下では、「撮像感度」とも称する）を変更することができる。例えば、撮像素子に固有の感度を最低感度とした場合は、最低感度以上の感度は、撮像素子の出力を増幅させることによって実現可能である。より詳細には、撮像素子に固有の感度がＩＳＯ感度１００相当の場合、撮像素子の出力を２倍に増幅させることによってＩＳＯ感度２００を実現することができ、撮像素子の出力を４倍に増幅させることによってＩＳＯ感度４００を実現することができる。
【０００３】
このような感度変更による出力の増幅は、画像信号だけでなく画像信号に含まれるノイズにも作用するため、撮像感度をＩＳＯ感度２００に設定した場合、撮像感度をＩＳＯ感度１００に設定した場合に比べて、ノイズ量は２倍となる。
【０００４】
また、撮像感度が高ければ撮像素子の出力が増幅されるため、露光（露出）時間は短くなるが、感度が低ければ露光時間は長くなる。このため、夜景または天体の撮影など、比較的長時間の露光を行う場合は、設定されたＩＳＯ感度に応じて露光時間に大きな差が生じる。例えば、ＩＳＯ感度１００で１分の露光を要する被写体は、ＩＳＯ感度８００なら７．５秒の露光で撮影することができる。
【０００５】
このように、撮像感度は、露光時間と撮影画像に含まれるノイズとに影響を及ぼすため、撮影の際には、撮像感度を適切に設定して、ノイズ量を許容範囲に収めつつ、露光時間を短縮させることが好ましい。すなわち、撮影の際には、撮像感度は、露光時間とノイズ量とのつりあい（バランス）を考慮して設定されることが好ましい。
【０００６】
さて、撮像感度は、周囲の明るさまたはフラッシュ発光の有無などに応じて自動的に、或いは経験則に基づいて撮影者によって手動で設定されていた。
【０００７】
通常撮影の場合は、撮影が一瞬で終了するので、一旦撮影した後で撮影画像をＬＣＤ等の表示部で確認して、撮像感度が不適当なら再撮影することも比較的容易である。しかし、長時間露光での撮影（「長時間露光撮影」とも称する）の場合は、撮影に要する時間が長くなるので、撮影画像を表示部で確認するまでの待ち時間が長くなる。また撮像感度が不適当で再撮影になった場合は、さらに多大な時間を費やすことになる。このため、設定された、或いは設定した撮影感度に不安のある撮影者にとっては、長時間露光の撮影は、非常に煩わしいものとなる。
【０００８】
このような長時間露光撮影での煩わしさを改善する技術として、長時間露光の撮影において、露光中に撮影途中の撮影画像を随時表示部で表示させて確認可能とする技術が存在する（例えば、特許文献１）。これによれば、露光時間の経過にともなう撮影画像の変化を確認することができるので、露光量が適切であるか否かの判断を露光中に行うことが可能になる。
【０００９】
【特許文献１】特開２００３−６９８９７号公報
【発明の開示】
【発明が解決しようとする課題】
【００１０】
しかしながら、上記特許文献１に記載の技術は、長時間露光の撮影において露光量が適正であるか否かの判断を露光中に行うことを可能とする技術であり、露光時間に加えてノイズ量をも考慮した撮影を実現可能とするものではない。
【００１１】
そこで、本発明は、長時間露光の撮影において、露光時間に加えてノイズ量をも考慮した撮影を行うことが可能な技術を提供することを目的とする。
【課題を解決するための手段】
【００１２】
本発明の第１の側面は、撮像装置であって、被写体像に関する画像信号を生成する撮像素子と、予め設定された設定露光時間に応じて、前記撮像素子への露光を複数回に分けて行う撮影動作を実行させる撮影制御手段と、前記撮影動作における各露光で取得される画像信号を順次に加算する加算手段と、前記設定露光時間に基づいて、前記加算手段によって加算された画像信号の増幅率を算出する増幅率算出手段と、前記増幅率を用いて前記加算手段によって加算された画像信号を増幅させ、前記設定露光時間に対する不足分の露光を補う増幅手段と、前記増幅手段によって増幅された画像信号に関する情報を、表示部に表示させる表示制御手段とを備え、前記撮影制御手段は、ユーザによる終了指示操作を検出した場合に、前記撮影動作を終了させ、前記増幅手段によって増幅された画像信号を前記設定露光時間の撮影で取得された撮影画像とする。
【００１３】
また、本発明の第２の側面は、撮像装置であって、被写体像に関する画像信号を生成する撮像素子と、予め設定された設定露光時間に応じて、前記撮像素子への露光を複数回に分けて行う撮影動作を実行させる撮影制御手段と、前記設定露光時間に基づいて、前記加算手段によって加算された画像信号の増幅率を算出する増幅率算出手段と、前記増幅率を用いて前記加算手段によって加算された画像信号を増幅させ、前記設定露光時間に対する不足分の露光を補う増幅手段と、前記増幅手段によって増幅された画像信号に含まれるノイズ量を算出するノイズ量算出手段とを備え、前記撮影制御手段は、前記ノイズ量に応じて前記撮影動作を終了させ、前記増幅手段によって増幅された画像信号を前記設定露光時間の撮影で取得された撮影画像とする。
【発明の効果】
【００１４】
本発明によれば、長時間露光の撮影において、露光時間に加えてノイズ量をも考慮した撮影を行うことができる。
【発明を実施するための最良の形態】
【００１５】
＜１．実施形態＞
以下、本発明の実施形態について図面を参照して説明する。
【００１６】
＜１−１．構成＞
図１、図２および図３は、本発明の実施形態に係る撮像装置１の外観構成を示す図である。ここで、図１は、撮像装置１の正面外観図であり、図２は、撮像装置１の上面外観図であり、図３は、撮像装置１の背面外観図である。
【００１７】
撮像装置１は、デジタルカメラとして構成されており、その前面（図１参照）において撮影レンズ３を有している。
【００１８】
撮影レンズ３は、主として、レンズ群及び絞り等によって構成される。レンズ群には、光軸方向に移動することによって焦点位置を変更するフォーカスレンズ等が含まれている。
【００１９】
また、撮像装置１は、その上面（図２参照）において露光開始を指示するためのレリーズボタン（シャッターボタン）１１とフラッシュ４とモード設定ダイアル５と制御値設定ダイアル６とを備えている。
【００２０】
レリーズボタン１１は、半押し状態（Ｓ１状態）と全押し状態（Ｓ２状態）とを検出可能な２段階検出ボタンである。レリーズボタン１１が半押しされ半押し状態になると、被写体に関する記録用静止画像（本撮影画像）を取得するための準備動作（例えば、位相差による自動合焦（ＡＦ）制御動作および自動露出（ＡＥ）制御動作等）が行われる。また、レリーズボタン１１がさらに押し込まれて全押し状態になると、本撮影画像の撮影動作（撮像素子（後述）を用いて被写体像に関する露光を行い、その露光によって得られた画像信号に所定の画像処理を施す一連の本撮影動作）が行われる。
【００２１】
モード設定ダイアル５は、回転可能な円盤状の部材によって構成され、ユーザは、モード設定ダイアル５を回転させることによって、所望の撮影モードを選択して有効化することができる。
【００２２】
例えば、モード設定ダイアル５を回転させてマニュアルモード（Ｍモード）を選択すると、ユーザはシャッタースピードおよび絞り値の双方を手動で決定することが可能になる。
【００２３】
制御値設定ダイアル６は、回転可能な円盤状の部材によって構成され、ユーザは、制御値設定ダイアル６を回転させることによって、各種撮影モードにおける制御値を設定することが可能である。
【００２４】
例えば、マニュアルモードでは、ユーザは、制御値設定ダイアル６を操作することによって、シャッタースピードを自由に変更することができ、露光時間を調整することができる。また、マニュアルモードでは、撮像装置１の背面（図３参照）の絞り設定ボタン１８を押しながら、制御値設定ダイアル６を操作することで、絞りを自由に変更することができる。
【００２５】
また、撮像装置１は、その背面において、モニタ１２、ファインダ窓１０、メインスイッチ（電源スイッチ）１５、メニューボタン１６、および方向選択キー１７等を備えている。
【００２６】
より詳細には、撮像装置１の背面の略中央には、表示部としてのモニタ１２が設けられている。モニタ１２は、例えばカラー液晶ディスプレイ（ＬＣＤ）として構成される。モニタ１２には、撮影条件等を設定するためのメニュー画面を表示したり、メモリカード等の記録デバイス１０５（図４参照）に記録された撮影画像を再生表示したりすることができる。
【００２７】
モニタ１２の上部には、ファインダ窓１０が設けられている。ファインダ窓１０には、被写体像が導かれ、撮影者は、ファインダ窓１０を覗くことによって、被写体像を視認し、構図決めを行うことができる。
【００２８】
モニタ１２の左上部にはメインスイッチ１５が設けられている。メインスイッチ１５は２点スライドスイッチからなり、接点を左方の「ＯＦＦ」位置に設定すると、撮像装置１の電源がオフになり、接点を右方の「ＯＮ」位置に設定すると、撮像装置１の電源がオンになる。
【００２９】
モニタ１２の右側には、方向選択キー（カーソルキー）１７が設けられている。この方向選択キー１７は、上下左右の４方向の押圧操作が検出されるようになっている。なお、方向選択キー１７は、上記４方向の押圧操作とは別に、中央部のプッシュボタン（決定ボタン）１７ａの押圧操作も検出されるようになっている。
【００３０】
モニタ１２の左側には、メニューボタン１６が設けられている。メニューボタン１６が押下されるとモニタ１２には、メニュー画面（設定画面）が表示される。ユーザは、メニュー画面上において方向選択キー１７等を用いた選択操作または設定操作（単に「メニュー操作」とも称する）を行うことによって、撮像装置１の詳細動作（例えば、ＡＦモード）の設定、および撮影条件の登録等を行うことができる。
【００３１】
＜１−２．機能＞
次に、撮像装置１の機能の概要について説明する。図４は、撮像装置１の機能構成を示すブロック図である。図５は、撮像素子Ｃ１０の受光面を示す図である。
【００３２】
図４に示すように、撮像装置１は、撮像部１０１、ＡＦＥ（アナログフロントエンド）１０２、画像処理部１０３、画像メモリ１０４、着脱可能な記録デバイス１０５、操作部１０６、および全体制御部１１０等を備えている。
【００３３】
操作部１０６は、レリーズボタン１１、モード設定ダイアル５、制御値設定ダイアル６（図１参照）およびメニューボタン１６（図３参照）を含む各種ボタンおよびスイッチ等を備えて構成される。操作部１０６に対するユーザの入力操作に応答して、全体制御部１１０等が各種動作を実現する。例えば、レリーズボタン１１の全押し状態が検出されると、本撮影画像の撮影動作が実行される。
【００３４】
撮像部１０１は、撮像素子（ＣＣＤまたはＣＭＯＳ）Ｃ１０等の光学センサを備えて構成され、被写体像に係る画像信号を取得する。撮像素子Ｃ１０では、フォトダイオードを有して構成される複数の画素が水平方向および垂直方向にマトリクス状に２次元配置されている。そして、当該複数の画素には、被写体像を形成する光（「被写体光」とも称する）を受光可能な非遮光領域ＮＲに含まれる画素（「有効画素」とも称する）ＵＧと、被写体光を受光不可能な（被写体光が照射されない）オプティカルブラック（ＯＰＢ）領域ＢＲに含まれる画素（「ブラック画素」とも称する）ＢＧとがある。
【００３５】
例えば、図５に示される撮像素子Ｃ１０では、撮像素子Ｃ１０の中央部が非遮光領域ＮＲとして設定（規定）され、撮像素子Ｃ１０の周辺部のうち上部（上端部）がオプティカルブラック領域ＢＲとして設定されている。なお、ここでは撮像素子Ｃ１０の上端部をオプティカルブラック領域ＢＲとして設定したがこれに限定されず、撮像素子Ｃ１０の下端部、左端部または右端部をオプティカルブラック領域ＢＲとして設定してもよい。
【００３６】
有効画素ＵＧは、露光により被写体光を受光し、被写体像に関する画像信号（画素信号）を生成する。具体的には、各有効画素ＵＧの受光面には、Ｒ(赤)、Ｇ(緑)、Ｂ(青)の原色透過フィルターが市松状にベイヤー配列され、各有効画素ＵＧは、結像された被写体の光像をＲ（赤）、Ｇ（緑）、Ｂ（青）各色成分のアナログの電気信号に変換し、画像信号を生成する。
【００３７】
一方、ブラック画素ＢＧは、画素表面に被写体光を遮光する遮光部材を有し、暗電流によるノイズ成分の信号（「ノイズ信号」とも称する）を画素信号の基準信号として生成する。
【００３８】
ＡＦＥ１０２は、撮像素子Ｃ１０に対して所定の動作を行わせるタイミングパルスを与える。そして、撮像素子Ｃ１０を構成する各画素から出力される信号に所定の信号処理を施して、デジタル信号（「デジタル画素信号」とも称する）に変換し、画像処理部１０３に出力する機能を有している。
【００３９】
画像処理部１０３へ出力されたデジタル信号は、撮像素子Ｃ１０の読み出しに同期して画像メモリ１０４に一旦格納される。画像メモリ１０４への格納は、撮像素子Ｃ１０の読み出しが終了するまで（露光が終了するまで）行われ、露光終了後には、画像メモリ１０４内において撮像データが形成されている。
【００４０】
画像処理部１０３は、画像メモリ１０４に格納された撮像データにアクセスして所定の信号処理を行うもので、信号加算部３１、信号増幅部３２、デモザイク処理部３３、ホワイトバランス（ＷＢ）制御部３４、およびガンマ（γ）補正部３５等を備えて構成されている。
【００４１】
信号加算部３１は、基準露光時間ＢＥよりも長い間露光を行う長時間露光撮影において、撮像部１０１で順次に取得される画像信号を加算する。
【００４２】
具体的には、撮像装置１の長時間露光撮影では、予め設定された露光時間（「設定露光時間」とも称する）ＴＥが分割され、分割された時間ごとに露光が行われて、分割時間ごとに画像信号が順次に取得される。そして、信号加算部３１では、各露光によって取得された画像信号を順次に加算する累積加算処理（単に「加算処理」とも称する）が実行される。加算処理によって生成された画像信号（「加算画像信号」または「累積画像信号」とも称する）は、累積画像データとして一旦画像メモリ１０４に記憶され、次の分割露光が終了すると、再び加算処理に用いられる。
【００４３】
信号増幅部３２は、全体制御部１１０で算出された増幅率ＡＰに基づいて、その時点で画像メモリ１０４に記憶されている累積画像信号を増幅させ、増幅画像信号を生成する。具体的には、信号増幅部３２は、累積画像信号である各画素の画素値に対して増幅率ＡＰをそれぞれ乗じて、画像信号を増幅させ、露光時間ＴＥに対する不足分の露光を補う。
【００４４】
デモザイク処理部３３は、画像メモリ１０４に格納された撮像データにおいて、画素が有していない色成分を、当該画素に隣接している周辺画素の色情報を用いた補間により取得する。
【００４５】
ホワイトバランス制御部３４は、光源に応じた白の基準に基づいて、Ｒ(赤)、Ｇ(緑)、Ｂ(青)各色成分のデジタル信号のレベル変換（ホワイトバランス(ＷＢ)調整）を行う。具体的には、ホワイトバランス制御部３４は、全体制御部１１０から与えられるＷＢ調整データに基づき、輝度または彩度データ等から撮影被写体において本来白色であると推定される部分を特定し、その部分のＲ、Ｇ、Ｂそれぞれの色成分の平均と、Ｇ／Ｒ比およびＧ／Ｂ比とを求め、これをＲ、Ｂの補正ゲインとしてレベル補正する。
【００４６】
ガンマ補正部３５は、ＷＢ調整された画像信号の階調特性を補正するものである。具体的には、ガンマ補正部３５は、予め設定されたガンマ補正用テーブルを用いて、画像信号のレベルを色成分毎に非線形変換するとともにオフセット調整を行う。
【００４７】
画像メモリ１０４は、不揮発性メモリによって構成され、撮影モード時には、画像処理部１０３から出力される画像信号を一時的に記憶するとともに、この画像信号に対し全体制御部１１０により所定の処理を行うための作業領域として用いられるメモリである。また、再生モード時には、記録デバイス１０５から読み出された画像信号を一時的に記憶する。
【００４８】
全体制御部１１０は、マイクロコンピュータとして構成され、主にＣＰＵ、ＲＡＭ１１０ＡおよびＲＯＭ１１０Ｂ等を備えている。全体制御部１１０は、ＲＯＭ１１０Ｂ内に格納されたプログラムを読み出し、当該プログラムをＣＰＵで実行することによって、各種機能を実現する。図４における、露出制御部１１１、撮影制御部１１２、増幅率算出部１１３、ノイズ量算出部１１４および表示制御部１１５は、全体制御部１１０においてプログラムを実行することによって実現される機能を機能ブロックとして表したものである。
【００４９】
露出制御部１１１は、シャッタースピードと絞り値とを調節する露出制御を行うものである。具体的には、露出制御部１１１は、撮像素子Ｃ１０によって取得される被写体の輝度情報に基づいて露出値を決定し、さらに、決定した露出値に基づいて適正露出となるようにシャッタースピードおよび絞り値を設定する。このように撮像装置１では、露光時間ＴＥは手動または自動で設定される。
【００５０】
撮影制御部１１２は、選択された撮影モードにおける各種撮影動作を制御する機能を有している。
【００５１】
例えば、長時間露光撮影において、レリーズボタン１１の全押し状態を検出すると、撮影制御部１１２は、露光時間ＴＥを所定時間ごとに分割し、撮像素子Ｃ１０への露光を複数回に分けて行うように制御する。詳細は、後述する。
【００５２】
増幅率算出部１１３は、長時間露光撮影を実行する場合において、露光時間ＴＥに対して不足する露光時間分の露光を補うように、累積画像信号を増幅させる増幅率ＡＰを算出する。
【００５３】
具体的には、増幅率算出部１１３は、累積画像信号に当該増幅率ＡＰを乗ずることによって、長時間露光によって最終的に取得される画像（「最終画像」とも称する）と同等の出力レベル（明るさ）を有する画像を生成可能な増幅率ＡＰを算出する。このような増幅率ＡＰは、設定された露光時間ＴＥと、これまでに実行された露光の積算時間（「積算露光時間」とも称する）ＤＴとを用いて、式（１）のように表される。
【００５４】
【数１】
2010081022.tif 000003
【００５５】
このように、増幅率ＡＰは、積算露光時間ＤＴに対する露光時間ＴＥの割合で表される。
【００５６】
ノイズ量算出部１１４は、増幅画像信号に含まれるノイズ量ＳＡを算出する。詳細は、後述する。
【００５７】
表示制御部１１５は、モニタ１２などの表示部における表示内容を制御する。例えば、表示制御部１１５は、撮影モードで、画像メモリ１０４に蓄えられた画像信号に基づいて画像表示を行う。また、再生モードでは、記録デバイス１０５から読み出された撮影画像をモニタ１２に表示させる。
【００５８】
＜１−３．長時間露光撮影について＞
ここで、基準露光時間ＢＥよりも長い間露光を行う長時間露光撮影について詳述する。図６は、長時間露光撮影における画像信号の流れを示す図である。
【００５９】
撮像装置１の長時間露光撮影では、撮像素子Ｃ１０への露光が複数回に分けて行われ、各露光で取得された画像信号が加算される。
【００６０】
具体的には、図６に示されるように、信号加算部３１には、各分割露光において撮像部１０１およびＡＦＥ１０２によって生成された画像信号が、ＡＦＥ１０２のタイミングパルスに応じて順次に入力される。信号加算部３１は、画像メモリ１０４に蓄積されている累積画像信号を読み出し、当該累積画像信号に新たに入力された画像信号を加算する。加算処理により新たに生成された画像信号は、累積画像データとして画像メモリ１０４に上書きして保存される。なお、長時間露光撮影で最初の露光によって取得された画像信号は、累積画像データとしてそのまま画像メモリ１０４に保存される。
【００６１】
信号増幅部３２は、画像メモリ１０４から現在の累積画像データを読み出し、増幅率ＡＰで累積画像信号を増幅させて出力する。出力された増幅画像信号は、例えば、露光途中の撮影画像としてモニタ１２に表示される。
【００６２】
モニタ１２への表示は、１回の分割露光が終了する度に更新される。これにより、撮影者は、時間の経過とともに更新される画像を視認して長時間露光撮影を終了させるタイミングを決定することができる。
【００６３】
累積画像信号の増幅は、上述のように露光時間ＴＥに対応した増幅率ＡＰを用いて行われ、当該増幅によって、長時間露光終了後に取得される最終画像と同等の出力レベルを有する画像が生成される。
【００６４】
具体的には、露光開始当初は、積算露光時間ＤＴが短いため、上式（１）によって算出される増幅率ＡＰは、大きな値となる。このため、露光開始当初の累積画像信号は増幅率ＡＰによって大幅に増幅され、最終画像と同等の出力レベルを有する画像が生成される。
【００６５】
一方、露光が進み積算露光時間ＤＴが長くなると、増幅率ＡＰは、上式（１）により小さな値に設定される。このため、露光後半では、累積画像信号は、増幅率ＡＰによって小幅に増幅されて、最終画像と同等の出力レベルを有する画像が生成される。このように、積算露光時間ＤＴが長くなると小さくなる増幅率ＡＰを用いることによれば、積算露光時間ＤＴの経過とともに累積画像信号の信号レベルが高くなっても、モニタ１２に表示される撮影画像の出力レベルを、最終画像と同等の出力レベルとすることができる。
【００６６】
また増幅処理では、露光開始当初は、比較的大きな増幅率ＡＰで増幅されることになるので、累積画像信号に含まれるノイズも大幅に増幅され、増幅後の増幅画像信号には多くのノイズが含まれることになる。これに対して、露光が進むと比較的小さな増幅率ＡＰで増幅されることになるので、増幅画像信号に含まれるノイズは少なくなる。すなわち、露光が進展するにつれて、増幅画像信号に含まれるノイズ量は減少する。
【００６７】
このような増幅率ＡＰの変動に応じたノイズの変化は、撮像素子の感度（撮像感度）の変更に応じたノイズの変化と同様の現象である。具体的には、露光時間ＴＥに応じて増幅率ＡＰを変更し、増幅画像信号を取得することは、撮像感度を変更して撮影を行うことと同じ処理を行っていることになる。つまり、露光の進展にともなって増幅率ＡＰを減少させ増幅画像信号を取得することは、高感度に設定された状態での撮影から、低感度に設定された状態での撮影へと感度を変更して撮影し、撮影画像を取得することに等しい。
【００６８】
このため、撮影者が、増幅画像信号に基づいてモニタ１２に表示される画像を視認して、ノイズ量が許容量以下となった場合に、長時間露光撮影を終了させると、最適感度で撮影を行ったことになる。すなわち、撮像装置１では、撮影者は、撮影前に感度設定を行うことなく、最適感度で撮影された画像と同等の画像を取得することができる。
【００６９】
なお、撮影者は、レリーズボタン１１の再押下によって露光の終了を指示可能であり、撮影動作中にレリーズボタン１１の全押し状態が検出されると、露光終了動作が実行される。
【００７０】
露光終了後は、信号増幅部３２によって、露光終了時点で画像メモリ１０４に保存されている累積画像信号が読み出され、露光終了時点の増幅率ＡＰで増幅されて、増幅画像信号が生成される。そして、当該増幅画像信号は、露光時間ＴＥの長時間露光撮影で取得された長時間露光画像（単に「長露光画像」とも称する）として、所定の画像処理が施された後、記録デバイス１０５に保存される。
【００７１】
＜１−４．撮影者への情報提供について＞
次に、長時間露光撮影の際に実行される撮影者への情報提供について説明する。図７は、長時間露光撮影におけるモニタ１２での表示態様を示す図である。
【００７２】
図７に示されるように、長時間露光撮影では、露光途中の撮影画像ＧＨ１と、当該撮影画像ＧＨ１の一部が拡大された拡大画像ＧＨ２と、ノイズデータＧＤとがモニタ１２に表示される。
【００７３】
具体的には、露光途中の撮影画像ＧＨ１は、画像表示領域ＤＲ１において画像全体が視認可能な態様で表示される。
【００７４】
拡大画像ＧＨ２は、拡大画像表示領域ＤＲ２において表示される。撮影画像ＧＨ１における拡大部分の特定は、拡大部分を表す枠表示ＫＢを方向選択キー１７等のボタン操作によって移動させて行われる。また、拡大画像ＧＨ２は、表示素子であるモニタ１２の１画素と、表示対象となる増幅画像信号の１画素とが１対１に対応するように、いわゆる画素等倍で表示されるか、あるいは、その数倍程度に拡大されて表示される。
【００７５】
このように、画像の一部分を画素等倍程度に拡大して表示することによれば、撮影画像中のノイズを視認することが容易になる。
【００７６】
なお、露光途中の撮影画像ＧＨ１および拡大画像ＧＨ２は、分割露光が終了する度に更新される。
【００７７】
ノイズデータＧＤは、露光途中の撮影画像ＧＨ１における所定部分のノイズ量ＳＡに関する情報であり、ノイズ表示領域ＤＲ３に表示される。ノイズ表示領域ＤＲ３には、ノイズデータＧＤとして、ノイズ量ＳＡを表す数値および予め設定されている基準ノイズ量ＢＡに対する現在のノイズ量ＳＡの到達度（達成度）を表すグラフが表示される。
【００７８】
ノイズ量ＳＡは、例えば、ノイズが存在しなければ、撮像素子Ｃ１０の出力にばらつきがなくなる被写体の均一な部分における各画素の画素値のばらつきを定量的に算出することによって取得することができる。画素値のばらつきを定量的に示す指標としては、例えば、標準偏差が用いられる。
【００７９】
具体的には、撮影画像ＧＨ１において、ノイズが存在しなければ各画素の画素値が均一に（等しく）なる領域をノイズ判定領域として指定すると、ノイズ量ＳＡは、ノイズ判定領域に含まれる画素についての平均画素値ＨＶと、ノイズ判定領域に含まれるｉ番目の画素の画素値ＰＶｉと、ノイズ判定領域に含まれる画素の個数Ｎとを用いて、式（２）のように表される。
【００８０】
【数２】
2010081022.tif 000004
【００８１】
ノイズ判定領域の指定は、方向選択キー１７等を用いたボタン操作によって行われ、拡大画像表示領域ＤＲ２に表示させる拡大部分とは異なる領域を指定可能となっている。
【００８２】
なお、撮影画像において、画素値が均一となる領域が存在しない場合は、撮像素子Ｃ１０の上端部に設けられたオプティカルブラック領域ＢＲに含まれる所定領域をノイズ判定領域として指定してもよい。オプティカルブラック領域ＢＲは、被写体光を受光しない領域であるため、オプティカルブラック領域ＢＲに含まれる所定領域は、ノイズが存在しなければ画素出力にばらつきが生じない領域である。このため、当該所定領域をノイズ判定領域として指定することによれば、ノイズ量ＳＡをより精度良く算出することができる。
【００８３】
＜１−５．動作＞
次に、撮像装置１の撮影動作について説明する。図８は、撮像装置１の撮影動作を示すフローチャートである。図９は、撮影処理の詳細を示すフローチャートである。
【００８４】
図８に示されるように、まず、ステップＳＰ１では、撮影モードが検出されると、撮像素子Ｃ１０の初期化または演算に用いる変数の初期化等の撮像装置１の初期化が行われる。
【００８５】
ステップＳＰ２では、モード設定ダイアル５の状態が検出され、マニュアルモードに設定されているか否かが判断される。
【００８６】
マニュアルモードに設定されている場合は、ステップＳＰ３に移行し、ステップＳＰ３では、ユーザによる制御値設定ダイアル６の操作によって露光時間ＴＥが設定される。一方、マニュアルモードに設定されていない場合は、ステップＳＰ４に移行し、ステップＳＰ４では、露出制御部１１１によって適正露出となるように露光時間ＴＥが自動で設定される。
【００８７】
ステップＳＰ５では、制御値設定ダイアル６の操作によって基準ノイズ量ＢＡの設定が行われているか否かが判定される。
【００８８】
基準ノイズ量ＢＡの設定が行われた場合は、ステップＳＰ６へと移行し、制御値設定ダイアル６の操作に応じて、撮像装置１の内部に保持されている基準ノイズ量ＢＡの値が変更される。一方、基準ノイズ量ＢＡの設定が行われない場合は、ステップＳＰ７へと移行する。
【００８９】
ステップＳＰ７では、レリーズボタン１１の押下状態に基づいて撮影開始判定が行われる。具体的には、レリーズボタン１１の全押し状態（Ｓ２状態）が検出されない場合は、ステップＳＰ２に移行し、レリーズボタン１１の全押し状態が検出されるまで、ステップＳＰ２〜ステップＳＰ７の処理が繰り返し実行される。一方、レリーズボタン１１の全押し状態（Ｓ２状態）が検出されると、ステップＳＰ８に移行する。
【００９０】
ステップＳＰ８では、本撮影動作が開始される。具体的には、被写体光が撮像素子Ｃ１０に照射され、撮像素子Ｃ１０を構成する各画素において画素信号が生成される。
【００９１】
ここで、ステップＳＰ８で実行される本撮影動作について詳述する。図９は、本撮影動作のフローチャートである。
【００９２】
レリーズボタン１１の全押し状態が検出されると（ステップＳＰ７）、図９に示される本撮影動作が開始される。
【００９３】
ステップＳＰ２１では、撮影制御部１１２によって、設定された露光時間ＴＥが基準露光時間ＢＥより長いか否かが判定される。
【００９４】
露光時間ＴＥが基準露光時間ＢＥより短い場合は、ステップＳＰ４１に移行し、通常露光による撮影が行われる。詳細には、設定された露光時間ＴＥで露光が行われ（ステップＳＰ４１）、取得された画像信号が撮像素子Ｃ１０から読み出されて（ステップＳＰ４２）、本撮影画像が取得された後、ステップＳＰ３８に移行される。
【００９５】
一方、露光時間ＴＥが基準露光時間ＢＥより長い場合は、ステップＳＰ２２に移行し、ステップＳＰ２２以降の一連の工程では、分割露光による撮影が行われる。
【００９６】
以下では、基準露光時間ＢＥを１分として、分割露光による撮影について説明する。
【００９７】
ステップＳＰ２２では、露光時間ＴＥの分割処理が行われる。具体的には、露光時間ＴＥが基準露光時間ＢＥで除算され、分割露光を行う回数（露光回数）が決定される。また、露光時間ＴＥを基準露光時間ＢＥで除算した際に端数が生じた場合は、最終回の分割露光を実行する際に、端数分の露光が行われる。すなわち、最終回の分割露光の露光時間に、端数分の露光時間が加えられる。
【００９８】
ステップＳＰ２３では、１回分の分割露光が行われる。詳細は、後述する。
【００９９】
ステップＳＰ２４では、１回分の分割露光で撮像素子Ｃ１０によって取得された画像信号が読み出される。
【０１００】
ステップＳＰ２５では、ステップＳＰ２３で行われた分割露光が最初（１回目）の分割露光であるか否かが判定される。
【０１０１】
最初の分割露光であった場合は、ステップＳＰ２６およびステップＳＰ２７を飛ばしてステップＳＰ２８に移行され、画像信号が画像メモリ１０４に保存される。
【０１０２】
一方、最初の分割露光でなかった場合は、ステップＳＰ２６に移行される。ステップＳＰ２６では、画像メモリ１０４に保存されている累積画像信号が読み出される。
【０１０３】
そして、ステップＳＰ２７では、信号加算部３１によって、累積画像信号に分割露光によって取得された画像信号を加算する加算処理が実行される。
【０１０４】
ステップＳＰ２８では、加算処理によって新たに生成された累積画像信号が、画像メモリ１０４に上書きして保存される。
【０１０５】
ステップＳＰ２９では、増幅率算出部１１３によって累積画像信号を増幅させる増幅率ＡＰが算出される。
【０１０６】
ステップＳＰ３０では、画像メモリ１０４から累積画像信号が読み出され、信号増幅部３２によって増幅率ＡＰを用いた累積画像信号の増幅処理が行われる。
【０１０７】
ステップＳＰ３１では、画像処理部１０３によって増幅画像信号にガンマ補正等の所定の画像処理が施される。
【０１０８】
ステップＳＰ３２では、ノイズ量算出部１１４によって増幅画像信号（露光途中の撮影画像ＧＨ１）に含まれるノイズ量ＳＡが算出される。
【０１０９】
ステップＳＰ３３では、露光途中の撮影画像ＧＨ１に関するノイズ量ＳＡと、予め設定されている基準ノイズ量ＢＡとが比較され、ノイズ量ＳＡが予め設定された設定値（ここでは、基準ノイズ量ＢＡ）以下であるか否かが判定される。
【０１１０】
ノイズ量ＳＡが基準ノイズ量ＢＡ以下であった場合は、ステップＳＰ３６に移行される。
【０１１１】
このように撮像装置１では、露光途中の撮影画像ＧＨ１から算出されるノイズ量ＳＡが、基準ノイズ量ＢＡ以下となった場合に、自動的に露光動作が終了される。
【０１１２】
一方、ノイズ量ＳＡが基準ノイズ量ＢＡ以下でなかった（より多かった）場合は、ステップＳＰ３４に移行される。
【０１１３】
ステップＳＰ３４では、表示制御部１１５によって増幅画像信号に関する情報（詳細には、露光途中の撮影画像ＧＨ１およびノイズ量ＳＡ等）がモニタ１２に表示される。
【０１１４】
ステップＳＰ３５では、露光回数分の分割露光が終了したか否かが判定される。
【０１１５】
具体的には、決定された露光回数分の分割露光が終了していないと判定された場合は、ステップＳＰ２２に移行し、ステップＳＰ２２〜ステップＳＰ３５の処理が繰り返し実行される。
【０１１６】
一方、露光回数分の分割露光が全て終了すると、ステップＳＰ３６に移行される。
【０１１７】
ステップＳＰ３６では、露光終了時に画像メモリ１０４に保存されている最新の累積画像信号が読み出される。
【０１１８】
ステップＳＰ３７では、信号増幅部３２によって、露光終了時の増幅率ＡＰを用いた累積画像信号の増幅処理が行われ、本撮影画像としての長時間露光画像が生成される。
【０１１９】
その後、ステップＳＰ３１と同様の画像処理が本撮影画像に施され（ステップＳＰ３８）、画像処理後の本撮影画像がモニタ１２に表示される（ステップＳＰ３９）。
【０１２０】
そして、ステップＳＰ４０では、本撮影画像が記録デバイス１０５に保存される。
【０１２１】
このように、本撮影動作では、長時間露光撮影の場合、露光が分割して行われ、各露光で取得された画像信号が加算されて加算画像信号が生成される。そして、加算画像信号を積算露光時間ＤＴに基づいて算出される増幅率ＡＰで増幅させることによって、本撮影画像としての長露光画像が取得される。
【０１２２】
以下では、ステップＳＰ２３で実行される分割露光動作について詳述する。図１０は、分割露光動作のフローチャートである。
【０１２３】
図１０に示されるように、まずステップＳＰ５１では、撮影制御部１１２によって、露光を開始する旨の制御信号が撮像素子Ｃ１０に送られ、露光が開始される。
【０１２４】
ステップＳＰ５２では、露光開始と同時に露光時間をカウントするためのタイマーがスタートされる。
【０１２５】
ステップＳＰ５３では、タイマーによる計測時間が確認され、基準露光時間ＢＥ（ここでは、１分間）の露光が終了したか否かが判定される。
【０１２６】
タイマーによる計測時間が、基準露光時間ＢＥを経過していた（以上だった）場合は、ステップＳＰ６０に移行され、分割露光の終了動作が実行される。具体的には、ステップＳＰ６０では、露光を終了する旨の制御信号が撮像素子Ｃ１０に送られるとともに、タイマーがリセットされる。そして、分割露光が終了されると、ステップＳＰ２４（図９）に移行される。
【０１２７】
一方、タイマーによる計測時間が、基準露光時間ＢＥ未満だった場合は、ステップＳＰ５４に移行される。
【０１２８】
ステップＳＰ５４では、レリーズボタン１１が押下されたか否かが判定される。
【０１２９】
レリーズボタン１１の全押し状態が検出された場合は、ステップＳＰ６１に移行され、ステップＳＰ６０と同様に分割露光の終了動作が実行される。そして、分割露光の終了動作が実行された後、ステップＳＰ３６に移行される（図９）。
【０１３０】
このように撮像装置１では、レリーズボタン１１の再押下が露光動作の終了指示操作となっていて、ユーザは、レリーズボタン１１の再押下によっても露光動作を終了させることができる。
【０１３１】
一方、レリーズボタン１１の全押し状態が検出されない場合は、ステップＳＰ５５に移行される。
【０１３２】
ステップＳＰ５５では、方向選択キー１７が操作されたか否かが検出される。方向選択キー１７が操作された場合は、ステップＳＰ５６へ移行され、ステップＳＰ５６では、領域設定（詳細には、拡大部分の特定およびノイズ判定領域の指定）が行われる。
【０１３３】
具体的には、方向選択キー１７の操作が検出されると、まず拡大画像表示領域ＤＲ２に表示させる拡大部分の特定が行われる。方向選択キー１７を用いたユーザ操作によって拡大部分が選択され、決定ボタン１７ａにより拡大部分が決定されると、次にノイズ判定領域の指定が行われる。
【０１３４】
ノイズ判定領域の指定も、拡大部分の特定と同様に、方向選択キー１７および決定ボタン１７ａの操作によって行われる。なお、オプティカルブラック領域ＢＲに含まれる所定領域をノイズ判定領域として指定する場合は、ノイズ判定領域を表す枠表示を画像表示領域ＤＲ１の外に移動させて、決定ボタン１７ａを押下すればよい。
【０１３５】
このように、ステップＳＰ５６では、ユーザによる領域設定が行われる。
【０１３６】
一方、ステップＳＰ５５で、方向選択キー１７の操作が検出されない場合は、ステップＳＰ５６を経ずにステップＳＰ５７へ移行される。
【０１３７】
ステップＳＰ５７では、制御値設定ダイアル６のダイアル操作が行われたか否かが検出される。
【０１３８】
制御値設定ダイアル６のダイアル操作が検出されない場合は、ステップＳＰ５３に戻り、制御値設定ダイアル６のダイアル操作が検出された場合は、ステップＳＰ５８に移行する。
【０１３９】
ステップＳＰ５８では、制御値設定ダイアル６のダイアル操作に応じて露光時間ＴＥが変更される。
【０１４０】
ステップＳＰ５９では、変更された露光時間が、積算露光時間ＤＴよりも短いか否かが判定される。
【０１４１】
変更された露光時間が、積算露光時間ＤＴよりも短い場合は、ステップＳＰ６１に移行され、露光終了動作が実行された後、ステップＳＰ３６に移行される（図９）。
【０１４２】
一方、変更された露光時間が、積算露光時間ＤＴよりも長い場合は、ステップＳＰ５３に戻る。
【０１４３】
このように、ユーザは、増幅画像信号に基づいた画像表示を視認して、明るすぎるまたは暗すぎると判断した場合は、露光時間を変更することができる。露光時間が変更されると、撮影制御部１１２によって、露光終了動作の実行、または露光回数の再設定（ステップＳＰ２２）が行われる。
【０１４４】
以上のように、撮像装置１では、予め設定された露光時間ＴＥに応じて、撮像素子Ｃ１０への露光が複数回に分けて行われ、各露光で取得される画像信号が順次に加算され加算画像信号が生成される。そして、露光時間ＴＥに対する不足分の露光を補う増幅率を用いて加算画像信号が増幅され、増幅された画像信号に関する情報がモニタ１２に表示される。これによれば、ユーザは、増幅された画像信号に関する情報を参照しつつ、露光終了のタイミングを図ることができるので、露光時間に加えてノイズ量をも考慮した撮影を行うことができる。
【０１４５】
また、撮像装置１では、ノイズ量算出部１１４によって、増幅画像信号に含まれるノイズ量ＳＡが算出され、ノイズ量ＳＡに応じて撮影動作が自動的に終了される。これによれば、ノイズ量ＳＡを考慮した撮影を行うことが可能になる。
【０１４６】
＜２．変形例＞
以上、この発明の実施の形態について説明したが、この発明は上記説明した内容のものに限定されるものではない。
【０１４７】
例えば、上記実施形態では、ノイズ量ＳＡに応じて自動的に露光動作を終了させていたが、これに限定されない。
【０１４８】
具体的には、ノイズ量ＳＡに応じた露光動作の終了機能をオフできるようにしてもよい。詳細には、制御値設定ダイアル６のダイアル操作によって、基準ノイズ量ＢＡとして設定可能な最小値（０．１）の次に機能オフ状態を設定できるようにする。そして、制御値設定ダイアル６のダイアル操作によって機能オフ状態が設定された場合は、撮像装置１の内部に保持される基準ノイズ量ＢＡを達成不可能な値（例えばマイナス１００）に設定し、露光動作の自動終了機能が実行されないようにする。
【０１４９】
また、上記実施形態では、露出値を決定する際に用いる、被写体の輝度情報は撮像素子Ｃ１０から取得していたが、これに限定されない。
【０１５０】
具体的には、撮像装置１に新たに測光素子を設けて、測光素子から被写体の輝度情報を取得するようにしてもよい。
【０１５１】
また、上記実施形態では、領域設定処理（ステップＳＰ５６）を、露光後に実行しているが、これに限定されない。
【０１５２】
具体的には、ライブビュー機能を有し、本撮影前にモニタ１２で被写体像を視認可能な場合は、本撮影前の撮影準備動作の段階で領域指定を行ってもよい。
【０１５３】
また、上記実施形態では、長時間露光撮影中は、モニタ１２に常に露光途中の撮影画像ＧＨ１に関する情報が表示される場合を例示したが、これに限定されない。
【０１５４】
具体的には、長時間露光撮影中は、モニタ１２を消灯させ、ユーザの操作（例えば、ボタン操作）を検出したときに、モニタ１２を点灯させて露光途中の撮影画像ＧＨ１等を表示させてもよい。これによれば、電力消費を抑えることができる。
【０１５５】
また、上記実施形態では、撮像装置１に設けられた操作部材を直接操作する態様を例示していたが、これに限定されず、有線或いは無線の遠隔操作部材を用いて、撮像装置１を操作可能としてもよい。これによれば、露光中の部材操作による位置ズレの発生を防止することができる。
【図面の簡単な説明】
【０１５６】
【図１】撮像装置の外観構成を示す図である。
【図２】撮像装置の外観構成を示す図である。
【図３】撮像装置の外観構成を示す図である。
【図４】撮像装置の機能構成を示すブロック図である。
【図５】撮像素子の受光面を示す図である。
【図６】長時間露光撮影における画像信号の流れを示す図である。
【図７】長時間露光撮影におけるモニタでの表示態様を示す図である。
【図８】撮像装置の撮影動作を示すフローチャートである。
【図９】撮影処理の詳細を示すフローチャートである。
【図１０】分割露光処理の詳細を示すフローチャートである。
【符号の説明】
【０１５７】
１  撮像装置
１１  レリーズボタン
１２  モニタ
３１  信号加算部
３２  信号増幅部
Ｃ１０  撮像素子
１０３  画像処理部
１０４  画像メモリ
１０５  記録デバイス
１０６  操作部
１１１  露出制御部
１１２  撮影制御部
１１３  増幅率算出部
１１４  ノイズ量算出部
１１５  表示制御部
ＡＰ  増幅率
ＢＡ  基準ノイズ量
ＢＥ  基準露光時間
ＤＴ  積算露光時間
ＧＤ  ノイズデータ
ＳＡ  ノイズ量
ＴＥ  露光時間
【図１】
2010081022.tif 000005
【図２】
2010081022.tif 000006
【図３】
2010081022.tif 000007
【図４】
2010081022.tif 000008
【図５】
2010081022.tif 000009
【図６】
2010081022.tif 000010
【図７】
2010081022.tif 000011
【図８】
2010081022.tif 000012
【図９】
2010081022.tif 000013
【図１０】
2010081022.tif 000014